(57)【要約】【課題】  円筒状のエンコーダを構成する永久磁石となるべき磁性部材１５の着磁強度を、Ｓ極及びＮ極の各領域内で均一にできる着磁方法及び着磁装置を実現する。【解決手段】  上記磁性部材１５の外周面を着磁する際に使用する各着磁端子１６ａ、１６ａの磁極面１７ａ、１７ａを、それぞれ上記磁性部材１５の外周面と同心の部分円筒面とする。この様な構成を採用する事により、上記各磁極面１７ａ、１７ａから出入りする磁束を均一にして、上記課題を解決する。【選択図】  図２
2007085761.tif 000002
【特許請求の範囲】
【請求項１】
使用時に回転部材と共に回転及び変位する部分に支持されて、この回転及び変位する部分と同心に配置される円筒状の永久磁石を備え、この永久磁石の外周面と内周面とのうち使用時にセンサの検出部を対向させる一方の周面にＳ極とＮ極とを円周方向に関して交互に且つ等間隔で配置すると共に、これらＳ極とＮ極との境界の少なくとも一部を、上記永久磁石の軸方向に対し傾斜させているエンコーダのうち、この永久磁石を造るべく、この永久磁石となるべき円筒状の磁性部材を着磁する為に、この磁性部材の一方の周面の一部で上記Ｓ極又はＮ極を配置すべき複数の領域のうちの１つの領域に着磁端子の先端面である磁極面を対向させると共に、この１つの領域に対し円周方向に隣り合う領域又は上記磁性部材の他方の周面のうち上記１つの領域と径方向に重畳する領域に他の着磁端子の先端面である磁極面を対向させた状態で、これら両着磁端子の磁極面同士の間に磁力線を発生させる事により、この磁力線をこれら各磁極面が対向する上記各領域を通じて上記磁性部材の内部に貫通させ、この磁性部材を着磁するエンコーダの着磁方法に於いて、上記各磁極面とこれら各磁極面が対向する上記各領域との間隔を、それぞれこれら各磁極面の全面に亙りほぼ均一にする事を特徴とするエンコーダの着磁方法。
【請求項２】
各磁極面をそれぞれ、円筒状の磁性部材の径方向に直角な平面とする、請求項１に記載したエンコーダの着磁方法。
【請求項３】
各磁極面をそれぞれ、円筒状の磁性部材の両周面と同心の部分円筒面とする、請求項１に記載したエンコーダの着磁方法。
【請求項４】
各着磁端子の中心軸をそれぞれ、円筒状の磁性部材の径方向に配置する、請求項１〜３のうちの何れか１項に記載したエンコーダの着磁方法。
【請求項５】
永久磁石の一方の周面に複数存在するＳ極とＮ極との境界が、それぞれこの永久磁石の軸方向に対し同じ角度だけ傾斜すると共に、この軸方向に対する傾斜方向が、この軸方向に関する上記各境界の中間部を境に互いに逆になっている、請求項１〜４のうちの何れか１項に記載したエンコーダの着磁方法。
【請求項６】
永久磁石の一方の周面に複数存在するＳ極とＮ極との境界が、それぞれこの永久磁石の軸方向に対し全体的に同じ角度だけ傾斜している、請求項１〜４のうちの何れか１項に記載したエンコーダの着磁方法。
【請求項７】
使用時に回転部材と共に回転及び変位する部分に支持されて、この回転及び変位する部分と同心に配置される円筒状の永久磁石を備え、この永久磁石の外周面と内周面とのうち使用時にセンサの検出部を対向させる一方の周面にＳ極とＮ極とを円周方向に関して交互に且つ等間隔で配置すると共に、これらＳ極とＮ極との境界の少なくとも一部を、上記永久磁石の軸方向に対し傾斜させているエンコーダのうち、この永久磁石を造るべく、この永久磁石となるべき円筒状の磁性部材を着磁する為に、その先端面である磁極面を、この磁性部材の一方の周面の一部で上記Ｓ極又はＮ極を配置すべき複数の領域のうちの１つの領域に対向させた着磁端子と、その先端面である他の磁極面を、上記１つの領域に対し円周方向に隣り合う領域又は上記磁性部材の他方の周面のうち上記１つの領域と径方向に重畳する領域に対向させた他の着磁端子とを備え、着磁の際に、これら両着磁端子の磁極面同士の間で磁力線を発生させる事により、この磁力線をこれら各磁極面が対向する上記各領域を通じて上記磁性部材の内部に貫通させるエンコーダの着磁装置に於いて、上記各磁極面とこれら各磁極面が対向する上記各領域との間隔を、それぞれこれら各磁極面の全面に亙りほぼ均一にしている事を特徴とするエンコーダの着磁装置。
【請求項８】
各磁極面をそれぞれ、円筒状の磁性部材の径方向に直角な平面としている、請求項７に記載したエンコーダの着磁装置。
【請求項９】
各磁極面をそれぞれ、円筒状の磁性部材の両周面と同心の部分円筒面としている、請求項７に記載したエンコーダの着磁装置。
【請求項１０】
各着磁端子の磁極面が、これら各着磁端子同士を磁性部材を着磁する際の位置関係に保持した状態で、それぞれ単一の工具により同時に円筒面加工を施されたものである、請求項９に記載したエンコーダの着磁装置。
【請求項１１】
各着磁端子の中心軸をそれぞれ、円筒状の磁性部材の径方向に配置している、請求項７〜１０のうちの何れか１項に記載したエンコーダの着磁装置。
【発明の詳細な説明】
【技術分野】
【０００１】
この発明は、車輪支持用転がり軸受ユニット等の回転支持装置を構成する静止部材と回転部材との相対変位量、或いはこれら両部材同士の間に作用する荷重を測定する為に、センサと組み合わせて使用するエンコーダの着磁方法及び着磁装置の改良に関する。
【背景技術】
【０００２】
例えば、車両の車輪を懸架装置に対して回転自在に支持する為に、転がり軸受ユニットを使用する。又、車両の走行安定性を確保する為に、アンチロックブレーキシステム（ＡＢＳ）やトラクションコントロールシステム（ＴＣＳ）、エレクトロニックスタビリティーコントロール装置（ＥＳＣ）等の車両の走行状態安定化装置が広く使用されている。この様な各種車両用走行安定装置を制御する為には、車輪の回転速度、車体に加わる各方向の加速度等の信号が必要になる。そして、より高度の制御を行なう為には、車輪を介して上記転がり軸受ユニットに加わる荷重（ラジアル荷重、アキシアル荷重、モーメントのうちの少なくとも１種類）の大きさを知る事が好ましい場合がある。
【０００３】
この様な問題に対応する為には、懸架装置に対して車輪を支持する為の転がり軸受ユニットに、この車輪に加わる荷重を測定する為の荷重測定装置を組み込む事が考えられる。この様な場合に使用可能な荷重測定装置付車輪支持用転がり軸受ユニットとして従来から、例えば特許文献１〜４に記載されたものが知られている。ところが、これら特許文献１〜４に記載された荷重測定装置付車輪支持用転がり軸受ユニットの場合には、コストが嵩んだり、或は耐久性や荷重の測定精度を十分に確保するのが難しいと言った不都合がある。
【０００４】
この様な不都合を解消できる構造として、特願２００５−１４７６４２号には、荷重の作用方向に配置された１対のセンサの出力信号の位相差に基づき、転がり軸受ユニットに加わる荷重の大きさを測定する発明が開示されている。図１２〜１５は、上記出願に開示された先発明の第１例を示している。この先発明の第１例に係る構造は、図１２に示す様に、懸架装置に支持された状態で回転しない静止部材である外輪１の内径側に、車輪を支持固定（結合固定）して回転する回転部材であるハブ２を、複数個の転動体３、３を介して回転自在に支持している。そして、このハブ２の中間部にエンコーダ４を外嵌固定すると共に、上記外輪１の軸方向中間部で複列に配置された上記各転動体３、３の間部分に１対のセンサ５、５を、それぞれの検出部を、被検出面である上記エンコーダ４の外周面に近接対向させた状態で設けている。尚、上記各センサ５、５の検出部には、ホールＩＣ、ホール素子、ＭＲ素子、ＧＭＲ素子等の磁気検知素子を組み込む事が適切である。上記各転動体３、３には、接触角と共に、使用時に加わる荷重の方向及び大きさに拘わらず喪失しない程度の予圧を付与している。
【０００５】
上記エンコーダ４は、図１２〜１３に示す様に、軟鋼板等の磁性金属板により全体を円筒状に構成した芯金６と、この芯金６の外周面に全周に亙り添着固定した円筒状の永久磁石７とから成る。そして、このうちの芯金６を上記ハブの中間部に締り嵌めで外嵌固定している。又、上記エンコーダ４の被検出面である、上記永久磁石７の外周面には、Ｎ極に着磁した部分とＳ極に着磁した部分とを、円周方向に関して交互に且つ等間隔で配置している。これらＮ極に着磁された部分とＳ極に着磁された部分との境界は、上記永久磁石７の軸方向に対し同じ角度だけ傾斜させると共に、この軸方向に対する傾斜方向を、この永久磁石７の軸方向中間部を境に互いに逆方向としている。従って、上記Ｎ極に着磁された部分とＳ極に着磁された部分とは、軸方向中間部が円周方向に関して最も突出した（又は凹んだ）、「く」字形となっている。
【０００６】
又、上記両センサ５、５の検出部が上記永久磁石７の外周面に対向する位置は、この永久磁石７の円周方向に関して同じ位置としている。言い換えれば、上記両センサ５、５の検出部は、上記外輪１の中心軸を含む仮想平面上に配置されている。又、この外輪１と上記ハブ２との間にアキシアル荷重が作用しない状態で、上記Ｎ極に着磁された部分とＳ極に着磁された部分との軸方向中間部で円周方向に関して最も突出した部分（境界の傾斜方向が変化する部分）が、上記両センサ５、５の検出部同士の間の丁度中央位置に存在する様に、各部材４、５、５の設置位置を規制している。この様に、上記境界の傾斜方向が変化する部分を上記中央位置に存在させる事で、内外輪の温度差や熱膨張等の変形による誤差（変位が生じていなくても内外輪の温度差によって位相差が生じる、所謂オフセット）を小さく抑えられる様にしている。尚、上記エンコーダ４側に永久磁石７を組み込んでいるので、上記両センサ５、５側に永久磁石を組み込む必要はない。
【０００７】
上述の様に構成する先発明の第１例の場合、上記外輪１とハブ２との間にアキシアル荷重が作用すると、上記両センサ５、５の出力信号が変化する位相がずれる。即ち、上記外輪１とハブ２との間にアキシアル荷重が作用しておらず、上記外輪１と上記ハブ２とが相対変位していない、中立状態では、上記両センサ５、５の検出部は、図１５の（Ａ）の実線イ、イ上、即ち、上記最も突出した部分から軸方向に同じだけずれた部分に対向する。従って、上記両センサ５、５の出力信号の位相は、同図の（Ｃ）に示す様に、互いに一致する。
【０００８】
これに対して、上記エンコーダ４を固定したハブ２に、図１５の（Ａ）で下向きのアキシアル荷重が作用し｛外輪１とハブ２とがアキシアル方向（軸方向）に相対変位し｝た場合には、上記両センサ５、５の検出部は、図１５の（Ａ）の破線ロ、ロ上、即ち、上記最も突出した部分からの軸方向に関するずれが互いに異なる部分に対向する。この状態では上記両センサ５、５の出力信号の位相は、同図の（Ｂ）に示す様にずれる。更に、上記エンコーダ４を固定したハブ２に、図１５の（Ａ）で上向きのアキシアル荷重が作用した場合には、上記両センサ５、５の検出部は、図１５の（Ａ）の鎖線ハ、ハ上、即ち、上記最も突出した部分からの軸方向に関するずれが、逆方向に互いに異なる部分に対向する。この状態では上記両センサ５、５の出力信号の位相は、同図の（Ｄ）に示す様にずれる。
【０００９】
上述の様に先発明の第１例の場合には、上記両センサ５、５の出力信号の位相が、上記外輪１とハブ２との間に加わるアキシアル荷重の方向に応じた方向にずれる。又、このアキシアル荷重により上記両センサ５、５の出力信号の位相がずれる程度（変位量）は、このアキシアル荷重が大きくなる程大きくなる。従って、上記第１例の場合には、上記両センサ５、５の出力信号の位相ずれの有無、ずれが存在する場合にはその方向及び大きさに基づいて、上記外輪１とハブ２との間に作用しているアキシアル荷重の方向及び大きさを求められる。
【００１０】
次に、図１６は、特願２００５−２３８１７５号に開示された、先発明の第２例を示している。この先発明の第２例の場合、回転部材であるハブ２の中間部に、エンコーダ４ａを外嵌固定している。このエンコーダ４ａは、軟鋼板等の磁性金属板により断面クランク形で全体を円環状に構成した芯金６ａと、この芯金６ａの大径円筒部１４の外周面に全周に亙り添着固定した円筒状の永久磁石７ａとから成る。そして、このうちの芯金６ａを上記ハブ２の中間部に締り嵌めで外嵌固定している。上記エンコーダ４ａの被検出面である、上記永久磁石７ａの外周面には、Ｎ極に着磁した部分とＳ極に着磁した部分とを、円周方向に関して交互に且つ等間隔で配置している。又、図１６（Ａ）に示す様に、上記Ｎ極に着磁された部分とＳ極に着磁された部分との境界の形状を、上記永久磁石７ａの軸方向に対して同じ角度だけ傾斜させた直線形状としている。この様な永久磁石７ａの外周面には、静止部材である外輪１の軸方向中間部に支持したセンサ５の検出部８を、径方向に近接対向させている。尚、このセンサ５の検出部８には、ホールＩＣ、ホール素子、ＭＲ素子、ＧＭＲ素子等の磁気検知素子を組み込む事が適切である。
【００１１】
又、上記外輪１の内端部｛軸方向に関して「内」とは、自動車への組み付け状態で車両の幅方向中央側を言い、図１６（Ａ）の右側｝内周面と上記ハブ２の内端部外周面との間を塞ぐ組み合わせシールリング９を構成する、上記ハブ２の内端部に外嵌固定したスリンガ１０の内側面に、永久磁石により円輪状に構成した第二エンコーダ１１を、上記ハブ２と同心に添着固定している。この第二エンコーダ１１の被検出面である内側面には、Ｎ極に着磁した部分とＳ極に着磁した部分とを、円周方向に関して交互に且つ等間隔で配置している。又、図１６（Ｂ）に示す様に、上記Ｎ極に着磁された部分とＳ極に着磁された部分との境界を、放射方向の直線形状としている。上記エンコーダ４ａの外周面に存在するＳ極及びＮ極の数と、上記第二エンコーダ１１の内側面に存在するＳ極及びＮ極の数とは、互いに等しい。この様な第二エンコーダ１１の内側面には、懸架装置を構成するナックル（図示せず）等の静止部材の一部に支持した第二センサ１２の検出部１３を、軸方向に近接対向させている。尚、この第二センサ１２の検出部１３にも、ホールＩＣ、ホール素子、ＭＲ素子、ＧＭＲ素子等の磁気検知素子を組み込む事が適切である。
【００１２】
又、この先発明の第２例の場合には、上記外輪１と上記ハブ２との間にアキシアル荷重が作用せず、これら外輪１とハブ２とが軸方向に相対変位していない、中立状態で、上記両センサ５、１２の出力信号が同時に（或いは所定の時間差で）変化する様にしている。この為に、上記中立状態で、上記第二センサ１２の検出部１３が上記第二エンコーダ１１の内側面に存在するＳ極とＮ極との境界に対向するのと同時に、上記センサ５の検出部８が上記エンコーダ４ａの外周面に存在するＳ極とＮ極との境界に対向する様に、各部材の設置位置を規制している。
【００１３】
上述の様に構成する先発明の第２例の場合、上記外輪１と上記ハブ２との間にアキシアル荷重が作用する（これら外輪１とハブ２とが軸方向に相対変位する）と、上記両センサ５、１２の出力信号の位相がずれる。即ち、上記第二エンコーダ１１の内側面に対向している上記第二センサ１２の検出信号の位相は、上記相対変位の有無に関係なく、一定である（進んだり遅れたりする事はない）。これに対し、上記エンコーダ４ａの外周面に対向している上記センサ５の検出信号の位相は、上記相対変位に伴って、進んだり遅れたりする。従って、この様に進んだり遅れたりする分だけ、上記両センサ５、１２の出力信号の位相がずれる。
【００１４】
この様に、先発明の第２例の場合には、上記両センサ５、１２の出力信号の位相が、上記外輪１と上記ハブ２との間に加わるアキシアル荷重の方向に応じた方向にずれる。又、このアキシアル荷重により上記両センサ５、１２の出力信号の位相がずれる程度（変位量）は、このアキシアル荷重が大きくなる程大きくなる。従って、上述した先発明の第２例の場合には、上記両センサ５、１２の出力信号の位相ずれの有無、ずれが存在する場合にはその向き及び大きさに基づいて、上記外輪１とハブ２との軸方向の相対変位の向き及び大きさ、延いては、これら外輪１とハブ２との間に作用しているアキシアル荷重の向き及び大きさを求められる。この先発明の第２例の場合も、前述した先発明の第１例の場合と同様、上記軸方向の相対変位量やアキシアル荷重を求める為の演算は、図示しない演算器により行なう。
【００１５】
次に、前述の図１３〜１５に示した先発明の第１例に組み込む各エンコーダ４を構成する永久磁石７の製造方法の１例に就いて、図１７〜１９を参照しつつ説明する。上記永久磁石７を造る場合には、先ず、図１７に示す様に、芯金６の外周面に、上記永久磁石７となるべき円筒状の磁性部材（永久磁石材、高保持力材）１５を全周に亙り添着固定する。次いで、同図に示す様に、この芯金６及び磁性部材１５を、着磁装置にセットする。この着磁装置は、図示しない割り出し装置と、１対の着磁端子１６、１６とを備える。このうちの割り出し装置は、上記芯金６及び磁性部材１５を支持した状態で、この芯金６及び磁性部材１５を、図１７の矢印イ方向に所定角度ずつ間欠的に回転させる、割り出し作業を行なえるものである。又、上記各着磁端子１６、１６はそれぞれ、鉄系合金等の強磁性材製で、その断面形状を、上記永久磁石７の外周面に配置すべきＳ極及びＮ極の形状と同じ、「く」字形とすると共に、その先端面（図１７〜１９の下端面）である磁極面１７を、自身の中心軸αに直角な平面としている。この様な各着磁端子１６、１６は、互いの中心軸α、αを平行にした状態で、上記永久磁石７の隣り合うＳ極とＮ極とのピッチと同じピッチ間隔で配置すると共に、互いの磁極面１７、１７を同一の仮想平面内に配置している。そして、この状態で、上記各磁極面１７、１７を、それぞれ上記磁性部材１５の外周面に近接対向させている。又、この様に近接対向させた状態で、上記各磁極面１７、１７のうち、互いに近い側の端部を、それぞれ上記磁性部材１５の外周面に最も近づけている。又、上記各着磁端子１６、１６の周囲には、それぞれ図示しないコイルを巻回している。
【００１６】
上述の様に芯金６及び磁性部材１５を着磁装置にセットしたならば、次いで、図１８に示す様に、上記芯金６及び磁性部材１５の静止状態で、上記各コイルへの通電を行なう事に基づき、上記各着磁端子１６、１６の磁極面１７、１７同士の間に磁力線β（代表して１本のみ図示）を発生させる。そして、この磁力線βを、上記磁性部材１５の外周面のうち、上記各磁極面１７、１７が対向する円周方向に隣り合う１対の「く」字形領域を通じて、上記磁性部材１５の内部に貫通させる。これにより、この磁力線βを貫通させた部分を着磁し、上記１対の「く」字形領域をＳ極及びＮ極とする事で、１回目の着磁作業を完了する。次いで、上記割り出し装置により上記芯金６及び磁性部材１５を、上記矢印イ方向に、上記永久磁石７の隣り合うＳ極とＮ極とを合わせた中心角ピッチ分（各極毎の中心角ピッチの２倍の角度分）だけ回転させ、再び静止させる。これにより、上記磁性部材１５の外周面に対する上記各磁極面１７、１７の対向位置を、上述の様にＳ極及びＮ極に着磁した１対の「く」字形領域の分だけ、上記矢印イ方向と反対方向にずらせる。そして、この状態で、上記１回目と同様の着磁作業を行なう事により、上記磁性部材１５の外周面のうち、上記各磁極面１７、１７と対向する円周方向に隣り合う１対の「く」字形領域を、Ｓ極及びＮ極に着磁する。その後更に、図１９（図中のＡは、着磁済み範囲）に途中経過を示す様に、上述した様な芯金６及び磁性部材１５の回転及び静止と着磁作業とを交互に繰り返す事により、上記磁性部材１５の外周面に、複数の「く」字形のＳ極とＮ極とを、全周に亙り交互に且つ等間隔に配置し、上記永久磁石７を完成させる。
尚、上述した様な着磁方法は、前述の図１６に示した先発明の第２例に組み込むエンコーダ４ａを構成する永久磁石７ａを造る場合にも適用できる。この場合には、１対の着磁端子として、それぞれの断面形状が、上記永久磁石７ａの外周面に配置すべきＳ極及びＮ極の形状と同じ、平行四辺形のものを使用する。
【００１７】
ところが、上述の図１７〜１９に示した着磁方法の場合には、次の様な不都合がある。即ち、上述した着磁方法の場合、上記各磁極面１７、１７が上記各着磁端子１６、１６の中心軸α、αに直角な平面になっており、且つ、これら各着磁端子１６、１６の中心軸α、αが上記磁性部材１５の径方向に対して傾いている（これら各着磁端子１６、１６の中心軸α、αとこの磁性部材１５の中心軸Ｏとが、互いに交差しない、捩れの位置関係にある）。この為、上記各磁極面１７、１７と上記磁性部材１５の外周面との間隔が、これら各磁極面１７、１７の全面に亙り不均一になる程度が著しくなっている。具体的には、上記各磁極面１７、１７のうち、互いに近い側の端部から互いに遠い側の端部に向かう程、上記間隔が広くなっている。しかも、最も狭い部分の間隔Ｃ1 と最も広い部分の間隔Ｄ1 との差δ1 （＝Ｄ1 −Ｃ1 ）が大きくなっている。一方、上記各磁極面１７、１７から出入りする磁束密度は、これら各磁極面１７、１７と上記磁性部材１５の外周面との間隔が狭い部分程高くなり、間隔が広い部分程低くなる。この為、上述した着磁方法の場合には、上記各磁極面１７、１７から出入りする磁束密度が、これら各磁極面１７、１７の全面に亙り、上記間隔と同じ傾向で（上記差δ1 に見合った高低差をもって）不均一になる。従って、上記Ｓ極及びＮ極に着磁した「く」形領域内の着磁強度も、上記磁束密度と同じ傾向で（上記差δ1 に見合った高低差をもって）不均一になる。この結果、着磁完了後に完成した前記エンコーダ４の使用時に、前記各センサ５、５の出力波形が大きく乱れたり、或は、上記Ｓ極及びＮ極に着磁した「く」形領域のうち、着磁強度が小さくなっている部分と対向する部分で、上記各センサ５、５の出力レベルが要求値に達しなくなると言った不都合を生じる可能性がある。ＡＢＳ用として従来一般的に使用されている、Ｓ極とＮ極との境界が軸方向に対し平行な永久磁石製エンコーダの場合には、このエンコーダの回転方向に関する、各極の範囲が狭いので、上述の様な不都合が顕在化しにくい。これに対して、本発明の対象となるエンコーダ（永久磁石）の場合には、回転方向に関する各極の範囲が広く、上述の様な不都合が顕在化し易い。従って、上述の様な不都合が発生するのを防止すべく、上記Ｓ極及びＮ極に着磁した領域内の着磁強度を均一にできる着磁方法及び着磁装置を実現する事が望まれる。
【００１８】
【特許文献１】特開平３−２０９０１６号公報
【特許文献２】特開２００４−３９１８号公報
【特許文献３】特公昭６２−３３６５号公報
【特許文献４】特開２００１−２１５７７号公報
【発明の開示】
【発明が解決しようとする課題】
【００１９】
本発明は、上述の様な事情に鑑み、Ｓ極とＮ極との境界が軸方向に対し傾斜しているエンコーダを構成する永久磁石の周面に設けた、上記Ｓ極及びＮ極に着磁した領域内の着磁強度を均一にできる、着磁方法及び着磁装置を実現すべく発明したものである。
【課題を解決するための手段】
【００２０】
本発明の対象となるエンコーダは、使用時に回転部材と共に回転及び変位する部分（例えば、この回転部材自体、或はディスクロータ、等速ジョイントの如く、この回転部材に結合固定される部材の一部）に支持されて、この回転及び変位する部分と同心に配置される円筒状の永久磁石を備える。そして、この永久磁石の外周面と内周面とのうち使用時にセンサの検出部を対向させる一方の周面にＳ極とＮ極とを円周方向に関して交互に且つ等間隔で配置すると共に、これらＳ極とＮ極との境界の少なくとも一部を、上記永久磁石の軸方向に対し傾斜させている。
【００２１】
そして、本発明のエンコーダの着磁方法及び着磁装置のうち、請求項１に記載したエンコーダの着磁方法は、上記永久磁石を造るべく、この永久磁石となるべき円筒状の磁性部材を着磁する為に、この磁性部材の一方の周面の一部で上記Ｓ極又はＮ極を配置すべき複数の領域のうちの１つの領域に、着磁端子の先端面である磁極面を対向させる。これと共に、この１つの領域に対し円周方向に隣り合う領域又は上記磁性部材の他方の周面のうち上記１つの領域と径方向に重畳する（整合する）領域に、他の着磁端子の先端面である磁極面を対向させる。そして、この状態で、これら両着磁端子の磁極面同士の間に磁力線を発生させる事により、この磁力線をこれら各磁極面が対向する上記各領域を通じて上記磁性部材の内部に貫通させ、この磁性部材を着磁する。
特に、請求項１に記載したエンコーダの着磁方法に於いては、上記各磁極面とこれら各磁極面が対向する上記各領域との間隔を、それぞれこれら各磁極面の全面に亙りほぼ（後述する実施例１と同等若しくはそれ以上に）均一にする。
【００２２】
又、請求項７に記載したエンコーダの着磁装置は、上記永久磁石を造るべく、この永久磁石となるべき円筒状の磁性部材を着磁する為に、その先端面である磁極面を、この磁性部材の一方の周面の一部で上記Ｓ極又はＮ極を配置すべき複数の領域のうちの１つの領域に対向させた着磁端子と、その先端面である他の磁極面を、上記１つの領域に対し円周方向に隣り合う領域又は上記磁性部材の他方の周面のうち上記１つの領域と径方向に重畳する領域に対向させた他の着磁端子とを備える。そして、着磁の際に、これら両着磁端子の磁極面同士の間で磁力線を発生させる事により、この磁力線をこれら各磁極面が対向する上記各領域を通じて上記磁性部材の内部に貫通させる。
特に、請求項７に記載したエンコーダの着磁装置に於いては、上記各磁極面とこれら各磁極面が対向する上記各領域との間隔を、それぞれこれら各磁極面の全面に亙りほぼ均一にしている。
【発明の効果】
【００２３】
上述した様な本発明のエンコーダの着磁方法及び着磁装置によれば、磁性部材の周面のうち、各磁極面と対向する各領域（Ｓ極及びＮ極に着磁すべき領域）を着磁する際に、これら各磁極面から出入りする磁束密度を、これら各磁極面の全面に亙りほぼ均一にできる。従って、上記各領域内の着磁強度をほぼ均一にできる。
【発明を実施するための最良の形態】
【００２４】
本発明のエンコーダの着磁方法及び着磁装置を実施する場合には、例えば、請求項２及び請求項８に記載した様に、各磁極面をそれぞれ、円筒状の磁性部材の径方向に直角な平面とする。
この様な構成を採用すれば、上記各磁極面を加工し易い平面形状としたまま、本発明の構成を具体的に実現できる。
又は、例えば、請求項３及び請求項９に記載した様に、各磁極面をそれぞれ、円筒状の磁性部材の両周面と同心の部分円筒面とする。
この様な構成を採用すれば、上記各磁極面とこれら各磁極面が対向する各領域との間隔を、これら各磁極面の全面に亙り完全に均一にできる。
又、好ましくは、請求項４及び請求項１１に記載した様に、各着磁端子の中心軸をそれぞれ、円筒状の磁性部材の径方向に配置する。
この様な構成を採用すれば、上記磁性部材の周面に対して上記各着磁端子の中心軸が垂直に配置される為、上記各磁極面から出入りする磁束の向きを安定させる事ができる。従って、これら各磁極面と対向する各領域の着磁強度を均一にする効果を高められる。
【００２５】
又、請求項１〜４に記載したエンコーダの着磁方法は、例えば、永久磁石の一方の周面に複数存在するＳ極とＮ極との境界が、それぞれこの永久磁石の軸方向に対し同じ角度だけ傾斜すると共に、この軸方向に対する傾斜方向が、この軸方向に関する上記各境界の中間部を境に互いに逆になっているエンコーダ（請求項５）や、永久磁石の一方の周面に複数存在するＳ極とＮ極との境界が、それぞれこの永久磁石の軸方向に対し全体的に同じ角度だけ傾斜しているエンコーダ（請求項６）を対象として実施できる。
【００２６】
又、請求項９に記載したエンコーダの着磁装置を実施する場合に、好ましくは、請求項１０に記載した様に、各着磁端子の磁極面を、これら各着磁端子同士を磁性部材を着磁する際の位置関係に保持した状態で、それぞれ単一の工具により同時に円筒面加工を施されたものとする。
この様な構成を採用すれば、上記各着磁端子の磁極面に別々に円筒面加工を施した後、これら各着磁端子同士を互いに組み合わせる事により、これら各着磁端子の磁極面を同心に配置する構成を採用する場合に比べて、次の様な有利な効果を得られる。即ち、上記請求項１０の構成を採用すれば、上記各磁極面の加工を単一の工具により同時に行なう為、これら各磁極面の加工時間を短くできる。又、これら各磁極面の加工終了と同時に、これら各磁極面を同心に配置できる為、この配置作業を別個に行なわずに済む。又、この配置作業に伴う組み付け誤差を生じる事がない為、上記各磁極面同士の同心度を良好にできる。
【実施例１】
【００２７】
図１は、請求項１、２、４、５、７、８、１１に対応する、本発明の実施例１を示している。尚、本実施例の特徴は、芯金６の外周面に添着固定した磁性部材１５を着磁装置にセットした状態での、この磁性部材１５の外周面に対する１対の着磁端子１６、１６の配置の仕方を工夫した点にある。その他の部分の構造及び作用は、前述の図１７〜１９に示したエンコーダの着磁方法及び着磁装置と同様である為、重複する図示並びに説明を省略若しくは簡略にし、以下、本実施例の特徴部分を中心に説明する。
【００２８】
本実施例の場合、上記芯金６及び磁性部材１５を着磁装置にセットした状態で、上記１対の着磁端子１６、１６の中心軸α、αを、それぞれ上記磁性部材１５の径方向に配置している。これに伴って、上記各着磁端子１６、１６の磁極面１７、１７を、それぞれ上記磁性部材１５の径方向に対して直角な平面としている。又、円周方向に関する上記各着磁端子１６、１６同士の配置間隔（中心角ピッチ）を、上記磁性部材１５の外周面に配置すべき隣り合うＳ極とＮ極との間の中心角ピッチＰと等しくしている。そして、この状態で、上記両磁極面１７、１７を、それぞれ上記磁性部材１５の外周面に近接対向させている。本実施例の場合には、この状態で、前述の図１７〜１９に示した着磁方法と同様の手順により、上記磁性部材１５を着磁する。
【００２９】
上述した様に、本実施例のエンコーダの着磁方法及び着磁装置の場合には、上記各磁極面１７、１７を、それぞれ上記磁性部材１５の径方向に対して直角な平面としている。この為、上記各磁極面１７、１７と上記磁性部材１５の外周面との間隔を、それぞれこれら各磁極面１７、１７の全面に亙りほぼ均一にできる。具体的には、これら各磁極面１７、１７と上記磁性部材１５の外周面との間隔が最も小さい部分である、円周方向中央部の間隔Ｃ2 と、上記間隔が最も大きい部分である、円周方向端部の間隔Ｄ2 との差δ2 を、前述の図１７〜１９に示した着磁方法に比べて、十分に小さく｛δ2 ≪δ1 （図１７〜１９）｝できる。この為、本実施例の場合には、上記磁性部材１５を着磁する際に、上記各磁極面１７、１７から出入りする磁束密度を、これら各磁極面１７、１７の全面に亙りほぼ均一にできる。従って、上記磁性部材１５の外周面のうち、上記各磁極面１７、１７と対向する各領域（Ｓ極及びＮ極）内の着磁強度を、ほぼ均一にできる。特に、本実施例の場合には、上記各着磁端子１６、１６の中心軸α、αを、それぞれ上記磁性部材１５の径方向に配置している。言い換えれば、これら各着磁端子１６、１６の中心軸α、αを、それぞれ上記磁性部材１５の周面に対して垂直に配置している。この為、上記各磁極面１７、１７から出入りする磁束の向きを安定させる事ができる。従って、上記各領域（Ｓ極及びＮ極）内の着磁強度を均一にする効果を高められる。尚、本実施例の場合には、前述の図１７〜１９に示したエンコーダの着磁方法及び着磁装置の場合と同様、上記各磁極面１７、１７を平面形状としている為、上記各着磁端子１６、１６を造る際に、上記各磁極面１７、１７の加工を容易に行なえる。
【実施例２】
【００３０】
次に、図２〜３は、請求項１、３、５、７、９、１０に対応する、本発明の実施例２を示している。本実施例の場合、芯金６及び磁性部材１５を着磁装置にセットした状態での、この磁性部材１５の外周面に対する１対の着磁端子１６ａ、１６ａの配置の仕方は、前述の図１７〜１９に示したエンコーダの着磁方法及び着磁装置の場合と同様である。但し、本実施例の場合には、それぞれが上記磁極部材１５の外周面に近接対向させる面である、上記各着磁端子１６ａ、１６ａの磁極面１７ａ、１７ａを、それぞれ上記磁性部材１５の外周面（曲率半径Ｒ15）と同心の部分円筒面｛曲率半径Ｒ17a （＞Ｒ15）｝としている。そして、この様な構成を採用する事により、上記各磁極面１７ａ、１７ａと上記磁性部材１５の外周面との間隔を、それぞれこれら各磁極面１７ａ、１７ａの全面に亙り均一にしている。この為、本実施例の場合、上記磁性部材１５を着磁する際に、上記各磁極面１７ａ、１７ａから出入りする磁束密度を、これら各磁極面１７ａ、１７ａの全面に亙り均一にできる。従って、上記磁性部材１５の外周面のうち、上記各磁極面１７ａ、１７ａと対向する各領域（Ｓ極及びＮ極）内の着磁強度を均一にできる。
【００３１】
又、本実施例の場合、上述の様な各磁極面１７ａ、１７ａを備えた着磁端子１６ａ、１６ａを造る為に、図３に示す様に、これら各着磁端子１６ａ、１６ａ同士を、図２に示す様な着磁作業の際の位置関係に保持した状態で、単一の工具｛例えば円筒フライス用切削工具（外周縁の曲率半径Ｒ17a ）｝１８により、上記各着磁端子１６ａ、１６ａの先端面（図３の下端面）に、同時に円筒面加工を施す（ハッチングを施した部分を削り取る）。これにより、上記各着磁端子１６ａ、１６ａの先端面を、それぞれ上述の様な各磁極面１７ａ、１７ａとする。この様にして各磁極面１７ａ、１７ａを加工する本実施例の場合には、これら各磁極面１７ａ、１７ａの加工を別々に行なった後、上記各着磁端子１６ａ、１６ａ同士を互いに組み合わせる事により、上記各磁極面１７ａ、１７ａを同心に配置する構成を採用する場合に比べて、次の様な有利な効果を得られる。即ち、本実施例の場合には、上記各磁極面１７ａ、１７ａの加工を単一の工具１８により同時に行なう為、これら各磁極面１７ａ、１７ａの加工時間を短くできる。又、これら各磁極面１７ａ、１７ａの加工終了と同時に、これら各磁極面１７ａ、１７ａを同心に配置できる為、この配置作業を別個に行なわずに済む。又、この配置作業に伴う組み付け誤差を生じる事がない為、上記各磁極面１７ａ、１７ａ同士の同心度を良好できる。
【実施例３】
【００３２】
次に、図４は、請求項１、３、４、５、７、９、１０、１１に対応する、本発明の実施例３を示している。本実施例の場合、芯金６及び磁性部材１５を着磁装置にセットした状態での、この磁性部材１５の外周面に対する１対の着磁端子１６ｂ、１６ｂの配置の仕方は、前述の図１に示した実施例１の場合と同様である。但し、本実施例の場合には、それぞれが上記磁極部材１５の外周面に近接対向させる面である、上記各着磁端子１６ｂ、１６ｂの磁極面１７ａ、１７ａを、それぞれ上記磁性部材１５の外周面（曲率半径Ｒ15）と同心の部分円筒面｛曲率半径Ｒ17a （＞Ｒ15）｝としている。そして、この様な構成を採用する事により、上記各磁極面１７ａ、１７ａと上記磁性部材１５の外周面との間隔を、それぞれこれら各磁極面１７ａ、１７ａの全面に亙り均一にしている。この為、本実施例の場合、上記磁性部材１５を着磁する際に、上記各磁極面１７ａ、１７ａから出入りする磁束密度を、これら各磁極面１７ａ、１７ａの全面に亙り均一にできる。従って、上記磁性部材１５の外周面のうち、上記各磁極面１７ａ、１７ａと対向する各領域（Ｓ極及びＮ極）内の着磁強度を均一にできる。又、本実施例の場合も、上記各磁極面１７ａ、１７ａは、上述した実施例２の場合と同様にして、単一の工具により同時に円筒面加工する。その他の構成及び作用は、上述した実施例１〜２の場合と同様である。
【実施例４】
【００３３】
次に、図５〜６は、やはり請求項１、３、４、５、７、９、１０、１１に対応する、本発明の実施例４を示している。本実施例の場合には、芯金６及び磁性部材１５を着磁装置にセットした状態で、それぞれの中心軸α、αを上記磁性部材１５の径方向に配置した１対の着磁端子１６ｂ、１６ｃの磁極面１７ａ、１７ｂを、上記芯金６及び磁性部材１５の円周方向一部を挟んで径方向に対向させている。そして、この状態で、上記磁性部材１５の外周面に近接対向させた一方の着磁端子１６ｂの磁極面１７ａを、上記磁性部材１５の外周面（曲率半径Ｒ15）と同心の部分円筒面｛曲率半径Ｒ17a （＞Ｒ15）｝としている。これと共に、上記芯金６を介して上記磁性部材１５の内周面に近接対向させた他方の着磁端子１６ｃの磁極面１７ｂを、上記磁性部材１５の内周面（曲率半径ｒ15）及び上記芯金６の内周面（曲率半径ｒ6 ）と同心の部分円筒面｛曲率半径ｒ17b （＜ｒ6 ）｝としている。そして、この様な構成を採用する事により、上記磁極面１７ａと上記磁性部材１５の外周面との間隔、並びに、上記磁極面１７ｂと上記磁性部材１５の内周面（上記芯金６の内周面）との間隔を、それぞれ上記各磁極面１７ａ、１７ｂの全面に亙り均一にしている。
【００３４】
本実施例の場合、上記磁性部材１５を着磁する際には、図示しない割り出し装置により上記芯金６及び磁性部材１５を、図５の矢印イ方向に、この磁性部材１５の外周面に配置すべき隣り合うＳ極とＮ極との間の中心角ピッチ分だけ回転させる作業と、静止させる作業とを、交互に繰り返す。そして、各静止時毎に、上記磁性部材１５の円周方向一部で上記各磁極面１７ａ、１７ｂ同士の間に挟まれた部分に、これら各磁極面１７ａ、１７ｂ同士の間で発生させた磁力線βを、径方向に貫通させる。これにより、この貫通させた部分の外周面をＳ極（Ｎ極）に着磁する。但し、この際の磁力線βの向き（径方向に関する着磁の向き。上記各着磁端子１６ａ、１６ｂに巻回した図示しないコイルへの通電方向）は、上記各静止時の度に交互に変化させる。これにより、上記磁性部材１５の外周面に全周に亙り、複数のＳ極とＮ極とを交互に且つ等間隔に配置する。
【００３５】
上述した様に、本実施例の場合も、上記各磁極面１７ａ、１７ｂと上記磁性部材１５の両周面との間隔を、それぞれこれら各磁極面１７ａ、１７ｂの全面に亙り均一にしている。この為、本実施例の場合も、上記磁性部材１５を着磁する際に、上記各磁極面１７ａ、１７ｂから出入りする磁束密度を、これら各磁極面１７ａ、１７ｂの全面に亙り均一にできる。従って、上記磁性部材１５の外周面のうち、上記一方の磁極面１７ａと対向する領域（Ｓ極又はＮ極）内の着磁強度を均一にできる。又、本実施例の場合には、上記各着磁端子１６ｂ、１６ｃの中心軸α、αを、それぞれ上記磁性部材１５の径方向に配置している。言い換えれば、これら各着磁端子１６ｂ、１６ｃの中心軸α、αを、それぞれ上記磁性部材１５の周面に対して垂直に配置している。この為、上記各磁極面１７ａ、１７ｂから出入りする磁束の向きを安定させる事ができる。従って、上記各領域（Ｓ極及びＮ極）内の着磁強度を均一にする効果を高められる。
【００３６】
又、本実施例の場合、上述の様な各磁極面１７ａ、１７ｂを備えた着磁端子１６ｂ、１６ｃを造る為に、図６に示す様に、これら各着磁端子１６ｂ、１６ｃ同士を、図５に示す様な着磁作業の際の位置関係に保持した状態で、単一の円筒状工具（外周縁の曲率半径Ｒ17a 、内周縁の曲率半径ｒ17b ）１８ａにより、上記各着磁端子１６ｂ、１６ｃの先端面に、同時に円筒面加工を施す（ハッチングを施した部分を削り取る）。これにより、これら各着磁端子１６ｂ、１６ｃの先端面を、それぞれ上述の様な各磁極面１７ａ、１７ｂとする。この様にして各磁極面１７ａ、１７ｂを加工する本実施例の場合も、これら各磁極面１７ａ、１７ｂの加工を単一の円筒状工具１８ａにより同時に行なう為、これら各磁極面１７ａ、１７ｂの加工時間を短くできる。又、これら各磁極面１７ａ、１７ｂの加工終了と同時に、これら各磁極面１７ａ、１７ｂを同心に配置できる為、この配置作業を別個に行なわずに済む。又、この配置作業に伴う組み付け誤差を生じる事がない為、上記各磁極面１７ａ、１７ｂ同士の同心度を良好できる。
尚、本実施例の着磁装置によれば、芯金の内周面に添着固定した磁性部材の内周面を着磁し、この内周面に複数のＳ極とＮ極とを円周方向に関して交互に且つ等間隔に配置する事もできる。
【実施例５】
【００３７】
次に、図７は、請求項１、３、５、７、９、１０に対応する、本発明の実施例５を示している。前述の図２に示した実施例２の場合が、磁性部材１５の外周面のうち円周方向に隣り合う２つの領域に、２個の着磁端子１６ａ、１６ａの磁極面１７ａ、１７ａを近接対向させていたのに対し、本実施例の場合には、磁性部材１５の外周面のうち円周方向に連続する３つの領域に、３個の着磁端子１６ｄ、１６ｅの磁極面１７ａ、１７ａを近接対向させている。この様な本実施例の場合、上記磁性部材１５を着磁する際には、図示しない割り出し装置により芯金６及び磁性部材１５を、図７の矢印イ方向に、この磁性部材１５の外周面に配置すべき隣り合うＳ極とＮ極との間の中心角ピッチの３倍の角度だけ回転させる作業と、静止させる作業とを、交互に繰り返す。そして、各静止時毎に、上記磁性部材１５のうち上記各磁極面１７ａ、１７ａと対向する部分に、これら各磁極面１７ａ、１７ａ同士の間に発生させた磁力線β、βを貫通させる。これにより、これら各貫通させた部分の外周面（上記３つの領域）をＳ極及びＮ極に着磁する。但し、この際の磁力線β、βの向き（着磁の向き。上記各着磁端子１６ｄ、１６ｅに巻回した図示しないコイルへの通電方向）は、上記各静止時の度に交互に変化させる。これにより、上記磁性部材１５の外周面に全周に亙り、複数のＳ極とＮ極とを交互に且つ等間隔に配置する。その他の部分の構成及び作用は、上記実施例２の場合と同様である。
【実施例６】
【００３８】
次に、図８は、請求項１、３、４、５、７、９、１０、１１に対応する、本発明の実施例６を示している。前述の図４に示した実施例３の場合が、磁性部材１５の外周面のうち円周方向に隣り合う２つの領域に、２個の着磁端子１６ｂ、１６ｂの磁極面１７ａ、１７ａを近接対向させていたのに対し、本実施例の場合には、磁性部材１５の外周面のうちそれぞれがＳ極又はＮ極を配置すべき総ての領域に、この磁性部材１５の外周面に配置すべきＳ極及びＮ極と同数の着磁端子１６ｂ、１６ｂの磁極面１７ａ、１７ａを近接対向させている。この様な本実施例の場合、上記磁性部材１５の外周面を着磁する際には、芯金６及び磁性部材１５を所定角度ずつ回転させる作業は行なわない。本実施例の場合には、この芯金６及び磁性部材１５を静止させた状態で、上記各着磁端子１６ｂ、１６ｂの磁極面１７ａ、１７ａ同士の間で発生させた磁力線β、βにより、上記総ての領域を一度に着磁する。これにより、着磁作業時間の短縮を図っている。その他の構成及び作用は、上記実施例３の場合と同様である。
【実施例７】
【００３９】
次に、図９〜１０は、請求項１、３、５、７、９、１０に対応する、本発明の実施例７を示している。前述の図２〜３に示した実施例２の場合が、円筒状の芯金６の外周面に添着固定した円筒状の磁性部材１５の外周面を、着磁すべき周面としていたのに対し、本実施例の場合には、円筒状の芯金６ａの内周面に添着固定した円筒状の磁性部材１５ａの内周面を、着磁すべき周面としている。又、上記実施例２の場合が、上記磁性部材１５の外周面のうち円周方向に隣り合う２つの領域に、着磁端子１６ａ、１６ａの磁極面１７ａ、１７ａを近接対向させていたのに対し、本実施例の場合には、上記磁性部材１５ａの内周面のうち円周方向に隣り合う２つの領域に、着磁端子１６ｆ、１６ｆの磁極面１７ｂ、１７ｂを近接対向させている。そして、この状態で、これら各磁極面１７ｂ、１７ｂを、それぞれ上記磁性部材１５ａの内周面（曲率半径ｒ15a ）と同心の部分円筒面｛曲率半径r17b（＜ｒ15a ）｝としている。これにより、上記各磁極面１７ｂ、１７ｂと上記磁性部材１５ａの内周面との間隔を、それぞれ上記各磁極面１７ｂ、１７ｂの全面に亙り均一にしている。そして、この状態で、上記実施例２の場合と同様にして、図示しない割り出し装置と、上記各着磁端子１６ｆ、１６ｆとにより、上記磁性部材１５ａの内周面を着磁する。
【００４０】
上述した様に、本実施例の場合も、上記各磁極面１７ｂ、１７ｂと上記磁性部材１５ａの内周面との間隔を、これら各磁極面１７ｂ、１７ｂの全面に亙り均一にしている。この為、上記磁性部材１５ａを着磁する際に、上記各磁極面１７ｂ、１７ｂから出入りする磁束密度を、これら各磁極面１７ｂ、１７ｂの全面に亙り均一にできる。従って、上記磁性部材１５ａの内周面のうち、上記各磁極面１７ｂ、１７ｂが対向する領域（Ｓ極又はＮ極）内の着磁強度を均一にできる。
【００４１】
又、本実施例の場合、上述の様な各磁極面１７ｂ、１７ｂを備えた着磁端子１６ｆ、１６ｆを造る為に、図１０に示す様に、これら各着磁端子１６ｆ、１６ｆ同士を、図９に示す様な着磁作業の際の位置関係に保持した状態で、単一の円筒状工具（内周縁の曲率半径ｒ17b ）１８ｂにより、上記各着磁端子１６ｆ、１６ｆの先端面に、同時に円筒面加工を施す（ハッチングを施した部分を削り取る）。これにより、これら各着磁端子１６ｆ、１６ｆの先端面を、それぞれ上述の様な各磁極面１７ｂ、１７ｂとする。この様にして各磁極面１７ｂ、１７ｂを加工する本実施例の場合も、これら各磁極面１７ｂ、１７ｂの加工を単一の円筒状工具１８ｂにより同時に行なう為、これら各磁極面１７ｂ、１７ｂの加工時間を短くできる。又、これら各磁極面１７ｂ、１７ｂの加工終了と同時に、これら各磁極面１７ｂ、１７ｂを同心に配置できる為、この配置作業を別個に行なわずに済む。又、この配置作業に伴う組み付け誤差を生じる事がない為、上記各磁極面１７ｂ、１７ｂ同士の同心度を良好できる。
尚、本発明を実施する場合には、上記実施例２に限らず、他の実施例（図５〜６に示した実施例４を除く）に就いても、磁性部材と各磁極端子との径方向に関する配置関係を逆にする事により、芯金の内周面に添着固定した磁性部材を着磁し、この磁性部材の内周面に複数のＳ極とＮ極とを、円周方向に関して交互に且つ等間隔に配置する事ができる。
【実施例８】
【００４２】
次に、図１１は、請求項１、３、６、７、９、１０に対応する、本発明の実施例８を示している。前述の図２に示した実施例２の場合が、前述の図１２〜１５に示したエンコーダ４を構成する永久磁石７となるべき磁性部材１５を着磁の対象としていたのに対し、本実施例の場合には、前述の図１６に示したエンコーダ４ａを構成する永久磁石７ａとなるべき磁性部材１５ｂを着磁の対象としている。これに伴い、本実施例の場合、１対の着磁端子１６ｇ、１６ｇの断面形状は、それぞれ上記永久磁石７ａの外周面に配置するＳ極及びＮ極の形状と同じ平行四辺形としている。その他の部分の構成及び作用は、前述の図２に示した実施例２の場合と同様である。
尚、上記実施例２に限らず、他の実施例でも、各着磁端子の断面形状を上述の様な平行四辺形とすれば、上記永久磁石７ａとなるべき磁性部材１５ｂの着磁を行なえる。
【００４３】
尚、本発明を実施する場合、永久磁石となるべき磁性部材の周面に対向させる着磁端子の数は、２個以上であれば特に数を問わない。又、上記磁性部材は、芯金の周面に固定する以前に着磁する事もできる。又、この芯金の周面に対する上記磁性部材の固定方法としては、接着、かしめ、圧入等、各種の方法を採用できる。又、上述した各実施例では、磁性部材の着磁作業を、この磁性部材を間欠的に回転させながら（回転と停止とを繰り返しながら）行なう方法を採用した。但し、本発明を実施する場合、磁性部材の着磁作業は、この磁性部材を連続的に回転させながら行なう事もできる。この場合には、例えば、この磁性部材を回転駆動するステッピングモータ等により、この磁性部材の回転角度を正確に監視しつつ、各着磁端子に巻回したコイルの通電状態（ＯＮ、ＯＦＦ）や通電方向（正、逆）を適切なタイミングで切り換える。又、本発明を実施する場合、着磁作業の際に上記磁性部材を回転させる回数は、この磁性部材に必要な着磁強度を与えられる回数であれば良く、特に何回転であるかを問わない。
【図面の簡単な説明】
【００４４】
【図１】本発明の実施例１を示す、エンコーダを構成する永久磁石となるべき円筒状の磁性部材に着磁する作業の途中段階を、このエンコーダの軸方向片側から見た状態で示す図。
【図２】同実施例２を示す、図１と同様の図。
【図３】この実施例２で使用する１対の着磁端子の磁極面を加工する状況を示す模式図。
【図４】本発明の実施例３を示す、図１と同様の図。
【図５】同実施例４を示す、図１と同様の図。
【図６】この実施例２で使用する１対の着磁端子の磁極面を加工する状況を示す模式図。
【図７】本発明の実施例５を示す、図１と同様の図。
【図８】同実施例６を示す、図１と同様の図。
【図９】同実施例７を示す、図１と同様の図。
【図１０】この実施例７で使用する１対の着磁端子の磁極面を加工する状況を示す模式図。
【図１１】本発明の実施例８を示す、図１と同様の図。
【図１２】先発明の第１例を示す断面図。
【図１３】この第１例に組み込むエンコーダの斜視図。
【図１４】同じく展開図。
【図１５】アキシアル荷重の変動に伴って変化するセンサの出力信号を示す線図。
【図１６】先発明の第２例を示す断面図。
【図１７】先発明の第１例のエンコーダを構成する永久磁石となるべき円筒状の磁性部材に着磁する作業の初期段階を、このエンコーダの軸方向片側から見た状態で示す図。
【図１８】同じく、上記初期段階に続く段階を示す、図１７と同様の図。
【図１９】同じく、その後の途中段階を示す、図１７と同様の図。
【符号の説明】
【００４５】
１    外輪
２    ハブ
３    転動体
４、４ａ  エンコーダ
５    センサ
６、６ａ  芯金
７、７ａ  永久磁石
８    検出部
９    組み合わせシールリング
１０    スリンガ
１１    第二エンコーダ
１２    第二センサ
１３    検出部
１４    大径円筒部
１５、１５ａ  磁性部材
１６、１６ａ〜１６ｇ  着磁端子
１７、１７ａ、１７ｂ  磁極面
１８、１８ａ、１８ｂ  工具
【図１】
2007085761.tif 000003
【図２】
2007085761.tif 000004
【図３】
2007085761.tif 000005
【図４】
2007085761.tif 000006
【図５】
2007085761.tif 000007
【図６】
2007085761.tif 000008
【図７】
2007085761.tif 000009
【図８】
2007085761.tif 000010
【図９】
2007085761.tif 000011
【図１０】
2007085761.tif 000012
【図１１】
2007085761.tif 000013
【図１２】
2007085761.tif 000014
【図１３】
2007085761.tif 000015
【図１４】
2007085761.tif 000016
【図１５】
2007085761.tif 000017
【図１６】
2007085761.tif 000018
【図１７】
2007085761.tif 000019
【図１８】
2007085761.tif 000020
【図１９】
2007085761.tif 000021